【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
第１の帯域幅の信号を受信する複数の受信機ブランチ（３４ａ、…、３４ｎ）を有した受信機（３４）であって、
前記第１の帯域幅より狭い第２の帯域幅に相当する周波数帯の信号を通過させるフィルタ（４８ａ、…、４８ｎ）と、ベースバンド信号をデジタル信号に変換するアナログ・デジタル変換器（５８ａ、…、５８ｎ）とをそれぞれ有する複数の受信機ブランチ（３４ａ、…、３４ｎ）と、
前記複数の受信機ブランチ（３４ａ、…、３４ｎ）のうち２つ以上の受信機ブランチからのデジタル信号をデジタル的に合成し、前記第１の帯域幅より実質的に広い帯域幅を有する受信信号を生成する制御装置（３６、６０）と
を備え、
前記制御装置（３６、６０）はさらに、それぞれ保護周波数帯を設けることなく隣接した周波数帯を有した２つ以上の受信機ブランチからのデジタル信号を合成するように構成されていることを特徴とする受信機。
【請求項２】
前記制御装置（３６、６０）はさらに、それぞれ保護周波数帯を設けることなく隣接した周波数帯を有した２つ以上の受信機ブランチからのデジタル信号を合成することで、前記第１の帯域幅の外側に存在する非希望信号によるブロッキングを改善するように構成されていることを特徴とする請求項１に記載の受信機。
【請求項３】
前記受信機は、帯域幅可変の受信機であり、
前記制御装置はさらに、希望する帯域幅を達成するよう前記複数の受信機ブランチ（３４ａ、…、３４ｎ）のうち１つ以上の受信機ブランチを選択するように構成されている
ことを特徴とする請求項１に記載の受信機。
【請求項４】
前記制御装置はさらに、干渉信号又はブロッキング信号に対応した周波数帯を有していない受信機ブランチを前記複数の受信機ブランチ（３４ａ、…、３４ｎ）から選択するように構成されていることを特徴とする請求項３に記載の受信機。
【請求項５】
前記複数の受信機ブランチ（３４ａ、…、３４ｎ）のそれぞれは自動利得制御装置（５２ａ．．．５２ｎ）を備えており、
前記制御装置は、前記自動利得制御装置における利得設定を制御するよう構成されている
ことを特徴とする請求項３に記載の受信機。
【請求項６】
前記信号は、直交周波数分割多重（ＯＦＤＭ）を使用して送信された信号であり、
前記制御装置は、
前記デジタル信号をフーリエ変換して複数のデジタルサブバンド信号を生成し、
生成された前記複数のデジタルサブバンド信号のうち一部のデジタルサブバンド信号を選択し、
選択した前記デジタルサブバンド信号をデジタルドメインで合成して受信信号を生成する
ように構成されていることを特徴とする請求項３に記載の受信機。
【請求項７】
前記制御装置は、
生成された前記複数のデジタルサブバンド信号のうち、上端のデジタルサブバンド信号と下端のデジタルサブバンド信号とを除いた中程に位置するデジタルサブバンド信号のうち隣接したブロックを、前記選択したデジタルサブバンド信号として選定する
ように構成されていることを特徴とする請求項６に記載の受信機。
【請求項８】
前記複数の受信機ブランチ（３４ａ、…、３４ｎ）のそれぞれは、
前記第１の帯域幅の信号を周波数変換し、該周波数変換により生成された第１の周波数変換信号を帯域通過フィルタの入力部へ供給する第１のミキサ（４６ａ．．．４６ｎ）と、
前記帯域通過フィルタの出力部に接続された自動利得制御装置（５２ａ．．．５２ｎ）と、
前記自動利得制御装置から出力された信号を周波数変換し、該周波数変換により生成された第２の周波数変換信号をアンチエイリアシングフィルタ（５６ａ．．．５６ｎ）に供給する第２のミキサ（５４ａ．．．５４ｎ）と
を備え、
前記アンチエイリアシングフィルタ（５６ａ．．．５６ｎ）の出力部は前記アナログ・デジタル変換器に接続されていることを特徴とする請求項１に記載の受信機。
【請求項９】
前記受信機は、
前記第１の帯域幅の信号を周波数変換し、各受信機ブランチにおける帯域通過フィルタの入力部へ第１の周波数変換信号を供給するミキサ（４６ａ）をさらに備え、
前記各受信機フィルタは、対応する帯域通過フィルタの出力部に接続された自動利得制御装置（５２ａ．．．５２ｎ）を備え、
前記受信機は、前記自動利得制御装置から出力された出力信号を周波数変換し、アンチエイリアシングフィルタ（５６ａ．．．５６ｎ）へ第２の周波数変換出力信号を供給するミキサ（４６ａ）をさらに備え、
前記アンチエイリアシングフィルタの出力部は対応するアナログ・デジタル変換器に接続されている
ことを特徴とする請求項１に記載の受信機。
【請求項１０】
各受信機ブランチは、
前記第１の帯域幅の信号を周波数変換し、該受信機ブランチにおける帯域通過フィルタの入力部へ第１の周波数変換信号を供給する第１のミキサ（４６ａ．．．４６ｎ）と、
該受信機ブランチにおける前記帯域通過フィルタの出力部に接続され、利得制御された出力信号を該受信機ブランチにおける前記アナログ・デジタル変換器へ供給する自動利得制御装置（５２ａ．．．５２ｎ）と
を備えることを特徴とする請求項１に記載の受信機。
【請求項１１】
複数の受信機ブランチ（３４ａ、…、３４ｎ）を有した受信機（３４）において使用される方法であって、
前記複数の受信機ブランチ（３４ａ、…、３４ｎ）のそれぞれが第１の帯域幅の信号を受信するステップと、
前記複数の受信機ブランチ（３４ａ、…、３４ｎ）のそれぞれが前記第１の帯域幅の信号をフィルタリングし、前記第１の帯域幅より狭い第２の帯域幅に相当する周波数帯の信号を通過させるステップと、
前記複数の受信機ブランチ（３４ａ、…、３４ｎ）のそれぞれが前記通過させられた信号をデジタル信号に変換するステップと、
前記複数の受信機ブランチ（３４ａ、…、３４ｎ）のうちそれぞれ保護周波数帯を設けることなく隣接した周波数帯を有した２つ以上の受信機ブランチからの前記デジタル信号をデジタル的に合成し、前記第１の帯域幅より実質的に広い帯域幅を有する受信信号を生成するステップと
を含むことを特徴とする方法。
【請求項１２】
前記隣接した周波数帯を有した２つ以上の受信機ブランチからのデジタル信号を合成することで、前記第１の帯域幅の外側に存在する非希望信号によるブロッキングを改善することを特徴とする請求項１１に記載の方法。
【請求項１３】
前記受信機は、帯域幅可変の受信機であり、
前記方法は、
希望する帯域幅を達成するよう前記複数の受信機ブランチ（３４ａ、…、３４ｎ）のうち１つ以上の受信機ブランチを選択するステップ
をさらに含むことを特徴とする請求項１１に記載の方法。
【請求項１４】
干渉信号又はブロッキング信号に対応した周波数帯を有していない受信機ブランチを前記複数の受信機ブランチ（３４ａ、…、３４ｎ）から選択するステップ
をさらに含むことを特徴とする請求項１３に記載の方法。
【請求項１５】
前記複数の受信機ブランチ（３４ａ、…、３４ｎ）のそれぞれは自動利得制御装置（５２ａ．．．５２ｎ）を備えており、
前記方法は、
前記自動利得制御装置における利得設定を制御するステップ
をさらに含むことを特徴とする請求項１３に記載の方法。
【請求項１６】
前記信号は、直交周波数分割多重（ＯＦＤＭ）を使用して送信された信号であり、
前記方法は、
前記デジタル信号をフーリエ変換して複数のデジタルサブバンド信号を生成するステップと、
生成された前記複数のデジタルサブバンド信号のうち一部のデジタルサブバンド信号を選択するステップと、
選択した前記デジタルサブバンド信号をデジタルドメインで合成して受信信号を生成するステップと
をさらに含むことを特徴とする請求項１３に記載の方法。
【請求項１７】
前記方法は、
生成された前記複数のデジタルサブバンド信号のうち、上端のデジタルサブバンド信号と下端のデジタルサブバンド信号とを除いた中程に位置するデジタルサブバンド信号のうち隣接したブロックを、前記選択したデジタルサブバンド信号として選定するステップ
をさらに含むことを特徴とする請求項１６に記載の方法。